(57)【要約】【課題】  高セキュリティ化，遊技機の入れ替え作業の簡略化，適正であるか否かの検査作業の簡略化を実現することができる遊技制御装置を提供する。【解決手段】  遊技制御装置１０は、１チップのハイブリッド型ＩＣによって構成されており、遊技盤１ａの左下隅に外部から視認可能な位置に内蔵されており、電磁波を遮断するための金属ケース５ａ及び透明電波吸収シート７によって覆われている。又、遊技制御装置１０は、第１種始動口＃１へのパチンコ球の入賞を報知するＬＥＤ３１，第１種始動口＃２へのパチンコ球の入賞を報知するＬＥＤ３３，特別図柄表示装置２５が作動中である旨を報知するＬＥＤ３５，第１種特別電動役物２７が作動中である旨を報知するＬＥＤ３７を備える。又、検査装置との間で光通信を行うための光コネクタ４１を備え、光通信によって遊技制御装置１０が適正であるか否かの検査を行う。【選択図】図２
2010167309.tif 000002
【特許請求の範囲】
【請求項１】
パチンコ遊技場等に設置される各種遊技機に備えられ、遊技にかかる演算制御を行う遊技制御装置であって、前記遊技機が遊技可能な状態において外部から視認可能な位置に設置されていることを特徴とする遊技制御装置。
【請求項２】
パチンコ遊技場等に設置される各種遊技機に備えられ、遊技にかかる演算制御を行う遊技制御装置であって、パチンコ球の入賞口への入賞状況，電動役物の動作状態等の遊技状態を識別する遊技状態識別手段と、該遊技状態識別手段による識別結果を外部から視認可能に表示するための遊技状態表示手段と、を備えることを特徴とする遊技制御装置。
【請求項３】
パチンコ遊技場等に設置される各種遊技機に備えられ、遊技にかかる演算制御を行う遊技制御装置であって、透明かつ電磁波を遮蔽可能な電磁波遮蔽手段によって覆われていることを特徴とする遊技制御装置。
【請求項４】
パチンコ遊技場等に設置される各種遊技機に備えられ、遊技にかかる演算制御を行う遊技制御装置であって、１チップのハイブリッド型ＩＣによって構成されていることを特徴とする遊技制御装置。
【請求項５】
パチンコ遊技場等に設置される各種遊技機に備えられ、遊技にかかる演算制御を行う遊技制御装置であって、前記遊技機に備えられる遊技盤の所定位置に内蔵されていることを特徴とする遊技制御装置。
【請求項６】
パチンコ遊技場等に設置される各種遊技機に備えられ、遊技にかかる演算制御を行う遊技制御装置であって、前記遊技機に設置された状態で外部と光通信を行うことができる光通信手段を備え、該光通信手段を介して外部から動作チェック用データを受信すると、当該光通信手段を介して外部に応答用データを送信することを特徴とする遊技制御装置。
【請求項７】
パチンコ球の入賞口への入賞状況，電動役物の動作状態等の遊技状態を識別する遊技状態識別手段と、該遊技状態識別手段による識別結果を外部から視認可能に表示するための遊技状態表示手段と、を備えることを特徴とする請求項１に記載の遊技制御装置。
【請求項８】
透明かつ電磁波を遮蔽可能な電磁波遮蔽手段によって覆われていることを特徴とする請求項１，２又は７の何れかに記載の遊技制御装置。
【請求項９】
１チップのハイブリッド型ＩＣによって構成されていることを特徴とする請求項１乃至３，７又は８の何れかに記載の遊技制御装置。
【請求項１０】
前記遊技機に備えられる遊技盤の所定位置に内蔵されていることを特徴とする請求項１乃至４，７乃至９の何れかに記載の遊技制御装置。
【請求項１１】
前記遊技機に設置された状態で外部と光通信を行うことができる光通信手段を備え、該光通信手段を介して外部から動作チェック用データを受信すると、当該光通信手段を介して外部に応答用データを送信することを特徴とする請求項１乃至５，７乃至１０の何れかに記載の遊技制御装置。
【発明の詳細な説明】
【技術分野】
【０００１】
本発明は、パチンコ遊技場等に設置される各種遊技機に備えられ、遊技にかかる演算制御を行う遊技制御装置に関し、特に、高セキュリティ化，遊技機を入れ替える作業の簡略化，適正であるか否かを検査する作業の簡略化を実現することができる遊技制御装置に関する。
【背景技術】
【０００２】
近年、パチンコ遊技場においては、遊技制御装置を構成する所謂遊技ＲＯＭ等のＩＣチップを不正なものと交換することによって遊技機に誤動作を起こさせ、例えば大当りの発生確率を高くするという不正が問題となっている。このため、パチンコ遊技場では、仮に交換が行われたとしても早期に発見することができる様に、定期的に、遊技制御装置が適正であるか否かを検査装置によって検査している。
【発明の概要】
【発明が解決しようとする課題】
【０００３】
しかし、遊技制御装置は遊技機の裏面に設置されているので、普段は人目に付かない。このため、遊技制御装置が不正なものと交換されたとしても、検査が行われるまで不正な遊技制御装置を発見することができず、その間にパチンコ遊技場が大きな損害を被る場合もある。又、近年、遊技制御装置に電磁波を照射することによって遊技制御装置を誤動作させる不正も増加しており、この様な不正によってもパチンコ遊技場は損害を被っている。
【０００４】
又、一般に、パチンコ遊技場では、定期的に遊技機を新しい機種と入れ替えることによって客離れを防止している。遊技機全体、即ち遊技盤，遊技制御装置，ガラス扉，パチンコ球の発射にかかる装置，パチンコ球の払い出しにかかる装置，上皿，下皿等をまとめて新しいものと入れ替える方法もあるが、パチンコ遊技場によっては、遊技盤及び遊技制御装置だけを入れ替え、他の装置は引き続き利用している所もある。
【０００５】
しかし、遊技盤及び遊技制御装置だけを入れ替える場合には、具体的には、遊技盤及び遊技制御装置を遊技機から各々取り外す作業と、新しい遊技盤及び遊技制御装置を各々取り付ける作業を行わなければならないので、遊技機全体をまとめて入れ替える作業に比べてかなり複雑である。このため、入れ替える作業に長時間を要する。
【０００６】
又、遊技制御装置が適正であるか否かの検査は、遊技制御装置に施されている封印を解き、遊技制御装置を遊技機から取り外して行われている。そして、検査の結果、遊技制御装置が適正である場合には、遊技制御装置を遊技機に再び取り付け、再び封印を施している。このため、検査に長時間を要する。
【０００７】
そこで、本発明は、高セキュリティ化を実現することができる遊技制御装置を提供することを第１の目的とし、遊技機を入れ替える作業を簡略化することができる遊技制御装置を提供することを第２の目的とし、適正であるか否かを検査する作業を簡略化することができる遊技制御装置を提供することを第３の目的とする。
【課題を解決するための手段】
【０００８】
この様な第１の目的を達成するため、第１の発明にかかる遊技制御装置は、パチンコ遊技場等に設置される各種遊技機に備えられ、遊技にかかる演算制御を行う遊技制御装置であって、前記遊技機が遊技可能な状態において外部から視認可能な位置に設置されていることを特徴とする。
【０００９】
第１の発明にかかる遊技制御装置では、遊技機が遊技可能な状態、具体的には、所謂前枠（前扉，内枠等ともいう。）が閉じられた状態において外部、即ち遊技者側から見える位置に設置されているので、常に遊技者・パチンコ遊技場の店員等の目にさらされる。このため、遊技制御装置が不正なものと交換されて外観に何等かの変化があれば、すぐに発見することができる。従って、パチンコ遊技場が大きな損害を被る前に対処することができる。ここで、遊技制御装置の具体的な設置箇所としては、例えば、遊技に使用しない遊技盤の四隅の部分等を挙げることができるが、遊技可能な状態において遊技者側から視認可能な位置であれば、特に限定しない。又、遊技制御装置の全体が視認可能である必要はなく、遊技ＲＯＭのＩＣチップ等の重要な部分が視認可能であれば良い。
【００１０】
又、第２の発明にかかる遊技制御装置は、パチンコ遊技場等に設置される各種遊技機に備えられ、遊技にかかる演算制御を行う遊技制御装置であって、パチンコ球の入賞口への入賞状況，電動役物の動作状態等の遊技状態を識別する遊技状態識別手段と、該遊技状態識別手段による識別結果を外部から視認可能に表示するための遊技状態表示手段と、を備えることを特徴とする。
【００１１】
第２の発明にかかる遊技制御装置では、遊技状態識別手段が、スタートチャッカにパチンコ球が入賞したか否か，大入賞口が開口しているか否か等を各種センサからの入力に基づいて識別し、遊技状態表示手段が、遊技状態識別手段による識別結果を、発光ダイオード（ＬＥＤ）等を点灯させることによって表示する。このため、パチンコ遊技場の店員は、遊技状態を一目で確認することができる。そして、実際の遊技状態と遊技状態表示手段による表示内容とが異なる場合、例えば、大入賞口の開口を表示するためのＬＥＤが点灯していないにもかかわらず大入賞口が開口している場合には、遊技制御装置，大入賞口を開口させるためのアクチュエータ等に何等かの異常があることになるので、詳しく検査すれば良い。この様に、遊技状態が適正であるか否かを容易に確認することができるので、第１の発明にかかる遊技制御装置と同様に、高セキュリティ化を実現することができる。
【００１２】
又、第３の発明にかかる遊技制御装置は、パチンコ遊技場等に設置される各種遊技機に備えられ、遊技にかかる演算制御を行う遊技制御装置であって、透明かつ電磁波を遮蔽可能な電磁波遮蔽手段によって覆われていることを特徴とする。ここで、電磁波遮蔽手段としては、例えば、酸化金属（酸化インジウム，酸化錫等）の薄膜等を挙げることができる。
【００１３】
第３の発明にかかる遊技制御装置では、遊技制御装置に向けて電磁波を照射しても、電磁波遮蔽手段がこの電磁波を遮蔽するので、電磁波は遊技制御装置に到達することができない。このため、電磁波によって遊技制御装置を誤動作させる不正を防止することができる。尚、透明ではないが、磁性材料（フェライト，パーマロイ等）をコーティングした有機繊維（ポリエステル繊維，アラミド繊維等）によって形成されたネットを電磁波遮蔽手段として採用することもできる。この様なネットを採用した場合にも、遊技制御装置に電磁波が到達しない様にすることができる。
【００１４】
又、第４の発明にかかる遊技制御装置は、パチンコ遊技場等に設置される各種遊技機に備えられ、遊技にかかる演算制御を行う遊技制御装置であって、１チップのハイブリッド型ＩＣによって構成されていることを特徴とする。第４の発明にかかる遊技制御装置は、ＣＰＵ，ＲＯＭ，ＲＡＭ等の複数のＩＣチップがプリント基板に配置されて構成されているのではなく、ＣＰＵ，ＲＯＭＲＡＭ等が統合された１つのハイブリッド型ＩＣによって構成されている。このため、遊技ＲＯＭを不正なものと交換するには、遊技制御装置全体を交換しなければならいので、不正に交換を行うことは非常に困難である。
【００１５】
尚、この様に遊技制御装置が１チップのハイブリッド型ＩＣによって構成されている場合には、遊技機を構成する部品を少なくすることができるので、省資源化を実現することもできる。又、前述した第２の目的を達成するため、第５の発明にかかる遊技制御装置は、パチンコ遊技場等に設置される各種遊技機に備えられ、遊技にかかる演算制御を行う遊技制御装置であって、前記遊技機に備えられる遊技盤の所定位置に内蔵されていることを特徴とする。ここで、内蔵とは、例えば遊技盤が合板によって構成されている場合には、この合板の一部に凹部や貫通孔（窓）を設け、凹部等に埋め込む様に設置することである。
【００１６】
第５の発明にかかる遊技制御装置は、遊技盤の所定位置に内蔵されているので、古くなった遊技盤と遊技制御装置とをまとめて取り外すことができると共に、新しい遊技盤及び遊技制御装置をまとめて取り付けることができるので、入れ替え作業を非常に容易に行うことができ、入れ替え作業に要する時間を大幅に短縮することができる。
【００１７】
又、前述した第３の目的を達成するため、第６の発明にかかる遊技制御装置は、パチンコ遊技場等に設置される各種遊技機に備えられ、遊技にかかる演算制御を行う遊技制御装置であって、前記遊技機に設置された状態で外部と光通信を行うことができる光通信手段を備え、該光通信手段を介して外部から動作チェック用データを受信すると、当該光通信手段を介して外部に応答用データを送信することを特徴とする。
【００１８】
第６の発明にかかる遊技制御装置は、遊技機から取り外すことなく検査を行うことができるので、検査を非常に容易に行うことができ、検査に要する時間を大幅に短縮することができる。又、請求項７乃至１１に記載した様に、前述した第１乃至第６の発明を適宜組み合わせても良い。特に、第１乃至第６の発明を全て組み合わせた場合には、遊技制御装置を高セキュリティ化，入れ替え作業の簡略化，検査作業の簡略化を全て実現することができる。
【図面の簡単な説明】
【００１９】
【図１】実施例のパチンコ遊技機の正面図である。
【図２】遊技制御装置の正面図（ａ）及び側面図（ｂ）である。
【図３】パチンコ遊技機の要部の電気的構成を説明するためのブロック図である。
【図４】遊技制御装置のＣＰＵが行うＬＥＤ点灯・動作チェック処理の流れを説明するためのフローチャートである。
【発明を実施するための形態】
【００２０】
以下、本発明の一実施例を図面に基づいて説明する。まず、本実施例のパチンコ遊技機の構成について説明する。図１は、本実施例のパチンコ遊技機の外観を説明するための正面図であり、図２は、遊技制御装置の外観及び設置状態を説明するための正面図（ａ）及び側面図（ｂ）であり、図３は、パチンコ遊技機の要部の電気的構成を説明するためのブロック図である。尚、遊技制御装置の設置状態をより明瞭に示すため、図２（ｂ）の一部は断面図となっている。
【００２１】
図に示す様に、本実施例のパチンコ遊技機１は、釘，各種入賞口等が設置されている遊技盤１ａと、遊技盤１ａを覆うガラス扉１ｂと、遊技にかかる演算制御を行うための遊技制御装置１０と、を備える。尚、本実施例では、所謂第１種パチンコ遊技機であって、特に第１種始動口を２つ（第１種始動口＃１及び＃２）備えるものについて説明する。
【００２２】
遊技制御装置１０は、１チップのハイブリッド型ＩＣによって構成されており、図１に示す様に、ガラス扉１ｂを通して外部から視認可能な状態で、遊技盤１ａの左下隅に内蔵されている。詳しくは、図２に示す様に設置されている。又、遊技制御装置１０は、ＩＣソケット３ａに電気的に接続されている。そして、ＩＣソケット３ａの裏面に接続されている遊技島用ケーブルソケット３ｂ及び遊技島用ケーブル３ｃを介して遊技制御装置１０と遊技島に備えられている各種装置との間で各種信号の授受が行われると共に、遊技島から遊技制御装置１０に動作電力が供給される様に構成されている。又、ＩＣソケット３ａの裏面に接続されている遊技機用ケーブルソケット３ｄ及び遊技機用ケーブル３ｅを介して遊技制御装置１０と遊技機の内の遊技盤以外に備えられている各種装置（賞球払出装置等）との間で各種信号の授受が行われると共に、遊技島から供給される動作電力をＩＣソケット３ａを経由して遊技機に備えられている各種装置に供給する様に構成されている。又、ＩＣソケット３ａの裏面に接続されている遊技盤用ケーブルソケット３ｆ及び遊技盤用ケーブル３ｇを介して遊技制御装置１０と遊技盤に備えられている各種装置（電動役物等）との間で各種信号の授受が行われると共に、遊技島から供給される動作電力をＩＣソケット３ａを経由して遊技盤に備えられている各種装置に供給する様に構成されている。即ち、遊技機の内の遊技盤以外に備えられている各種装置の動作電力は、遊技島から、遊技島用ケーブル３ｃ，遊技島用ケーブルソケット３ｂ，ＩＣソケット３ａ，遊技機用ケーブルソケット３ｄ，遊技機用ケーブル３ｅを介して供給され、遊技盤に備えられている各種装置の動作電力は、遊技島から、遊技島用ケーブル３ｃ，遊技島用ケーブルソケット３ｂ，ＩＣソケット３ａ，遊技盤用ケーブルソケット３ｆ，遊技盤用ケーブル３ｇを介して供給される。又、遊技制御装置１０は、電磁波を遮断するための金属ケース５ａによって覆われている。但し、金属ケース５ａには窓部５ａｗが設けられており、遊技制御装置１０を外部から見ることができる様になっている。そして、窓部５ａｗは、透明電波吸収シート７によって覆われている。この透明電波吸収シート７は、ポリエチレンテレフタレート膜，透明度が高いセラミックスの酸化インジウム・錫（ＩＴＯ）の薄膜，ポリカーボネート膜を積層することによって構成されるものであり、高い透光率と高い電波吸収能力を有する。そして、ＩＣソケット３ａ，金属ケース５ａ及び透明電波吸収シート７は、カシメ５ｂによって遊技盤１ａにしっかりと固定されている。
【００２３】
又、パチンコ遊技機１は、第１種始動口＃１へのパチンコ球の入賞を検出する第１種始動口＃１入賞センサ２１と、第１種始動口＃２へのパチンコ球の入賞を検出する第１種始動口＃２入賞センサ２３と、当りを抽選するための図柄を表示するための特別図柄表示装置２５と、大当りが発生した場合に大入賞口を開放するための第１種特別電動役物２７とを備える。そして、遊技制御装置１０は、遊技に関する各種演算制御を実行するＣＰＵ１１と、ＣＰＵ１１が実行する演算制御の手順等を記憶するＲＯＭ１３と、ＣＰＵ１１の演算結果を一時的に記憶するＲＡＭ１５と、入出力インタフェース１７と、ＣＰＵ１１，ＲＯＭ１３，ＲＡＭ１５，入出力インタフェース１７を電気的に接続するバス１９と、第１種始動口＃１へのパチンコ球の入賞を報知するための第１種始動口＃１用ＬＥＤ３１，第１種始動口＃２へのパチンコ球の入賞を報知するための第１種始動口＃２用ＬＥＤ３３，特別図柄表示装置２５が作動中である旨を報知するための特別図柄表示装置用ＬＥＤ３５，第１種特別電動役物２７が作動中である旨を報知するための第１種特別電動役物用ＬＥＤ３７の点灯・消灯を制御するＬＥＤドライバ３０と、光コネクタ４１を介して外部と光通信を行う光通信部４０と、を備える。この光通信部４０は、ＬＥＤ，フォトダイオード等を備え、外部からの光信号を電気信号へ変換してＣＰＵ１１に送信する機能と、ＣＰＵ１１からの電気信号を光信号に変換して外部に送信する機能とを有する。尚、遊技制御装置１０は、第１種始動口＃１入賞センサ２１，第１種始動口＃２入賞センサ２３，特別図柄表示装置２５，第１種特別電動役物２７以外にも種々のセンサ，アクチュエータと接続されているが、図３では省略する。
【００２４】
続いて、本実施例のパチンコ遊技機の遊技制御装置に備えられるＣＰＵ１１が行う特徴的処理であるＬＥＤ点灯・動作チェック処理を図４のフローチャートに沿って説明する。尚、ＣＰＵ１１は、このＬＥＤ点灯・動作チェック処理と並行して大当りの抽選等の処理を行うが、説明は省略する。
【００２５】
この処理は、前述した遊技島用ケーブル３ｃ，遊技島用ケーブルソケット３ｂ，ＩＣソケット３ａを介して遊技制御装置１０の各部に動作電力が供給されると開始され、ＣＰＵ１１は、まず第１種始動口＃１入賞センサ２１によってパチンコ球の入賞が検出されたか否かを判断する（Ｓ１０）。そして、検出された場合には（Ｓ１０において「ＹＥＳ」）、第１種始動口＃１用ＬＥＤ３１を０．５秒間点灯させる様にＬＥＤドライバ３０に指令を出す（Ｓ１２）。次に、第１種始動口＃２入賞センサ２３によってパチンコ球の入賞が検出されたか否かを判断し（Ｓ２０）、検出された場合には（Ｓ２０において「ＹＥＳ」）、第１種始動口＃２用ＬＥＤ３３を０．５秒間点灯させる様にＬＥＤドライバ３０に指令を出す（Ｓ２２）。次に、ＣＰＵ１１は、特別図柄表示装置２５が作動中であるか否かを判断する（Ｓ３０）。即ち、ＣＰＵ１１がこの処理と並行して行っている大当り抽選処理等によって特別図柄表示装置２５に図柄の変動表示を指令しているか否かを判断する。そして、作動中である場合には（Ｓ３０において「ＹＥＳ」）、特別図柄表示装置用ＬＥＤ３５を０．５秒間周期で点滅させる様にＬＥＤドライバ３０に指令を出す（Ｓ３２）。次に、ＣＰＵ１１は、第１種特別電動役物２７が作動中であるか否かを判断する（Ｓ４０）。即ち、大当り等の発生に伴って大入賞口の開口を指令しているか否かを判断する。そして、作動中である場合には（Ｓ４０において「ＹＥＳ」）、第１種特別電動役物用ＬＥＤ３７を０．５秒間周期で点滅させる様にＬＥＤドライバ３０に指令を出す（Ｓ４２）。
【００２６】
続いて、ＣＰＵ１１は、光通信部４０が光コネクタ４１を介して外部からの動作チェック用データを受信したか否かを判断し（Ｓ５０）、受信した場合には（Ｓ５０において「ＹＥＳ」）、当該動作チェック用データに対応する応答用データを光通信部４０及び光コネクタ４１を介して外部に送信する（Ｓ５２）。そして、Ｓ１０に戻って処理を繰り返す。
【００２７】
続いて、遊技制御装置１０が適正であるか否かの検査の手順について説明する。この検査は、ガラス扉１ｂを挟んで、検査装置の光コネクタを遊技制御装置１０の光コネクタ４１に対向させることによって行う。検査装置は遊技制御装置１０の光通信部４０と同様の機能を備えており、キー操作等を行うことで、光コネクタから光信号化された動作チェック用データが送出される。すると、透明電波吸収シート７を通って遊技制御装置１０の光コネクタ４１から光通信部４０に光信号の動作チェック用データが到達する。そして、光通信部４０からＣＰＵ１１に動作チェック用データが伝えられると、ＣＰＵ１１はこの動作チェック用データに対応する応答用データを作成する。そして、ＣＰＵ１１は、光通信部４０及び光コネクタ４１を介して外部に応答用データを送出する。そして、検査装置はこの応答用データを受信し、分析して遊技制御装置１０が適正であるか否かを判断する。
【００２８】
ここで、ＬＥＤ点灯・動作チェック処理のＳ１０，Ｓ２０，Ｓ３０，Ｓ４０において行われる判断処理が、前述した遊技状態識別手段の作用に対応し、ＬＥＤドライバ３０及びＬＥＤ３１〜３７が、前述した遊技状態表示手段に対応し、透明電波吸収シート７が、前述した電磁波遮蔽手段に対応し、光通信部４０及び光コネクタ４１が、前述した光通信手段に対応する。
【００２９】
続いて、本実施例のパチンコ遊技機の効果について説明する。本実施例のパチンコ遊技機１では、遊技制御装置１０が１チップのハイブリッド型ＩＣによって構成されているので、パチンコ遊技機１を構成する部品を少なくすることができると共に、不正なＩＣチップとの交換が困難となる。従って、省資源化・高セキュリティ化を実現することができる。
【００３０】
又、遊技制御装置１０がガラス扉１ｂ側、即ち遊技者側から見える位置に設置されているので、常に遊技者・パチンコ遊技場の店員等の目にさらされる。このため、遊技制御装置１０が不正なものと交換されて外観に何等かの変化があれば、すぐに発見することができる。従って、パチンコ遊技場が大きな損害を被る前に何等かの対処を行うことができる。
【００３１】
又、遊技制御装置１０が遊技盤１ａに内蔵されているので、遊技盤１ａと遊技制御装置１０とをまとめて取り外すことができると共に、新しい遊技盤及び遊技制御装置をまとめて取り付けることができるので、パチンコ遊技機の入れ替え作業を容易に行うことができる。又、遊技島と遊技盤１ａ及び遊技機１の本体と遊技盤１ａとの電気的接続は、遊技島用ケーブルソケット３ｂ及び遊技機用ケーブルソケット３ｄを抜き取るだけで切断されるので、パチンコ遊技機の入れ替え作業を一層容易に行うことができる。又、遊技制御装置１０が遊技盤１ａから殆ど突出しないので、邪魔にならない。
【００３２】
又、第１種始動口へパチンコ球が入賞した際、特別図柄表示装置２５，第１種特別電動役物２７が作動している間、遊技制御装置１０に備えられているＬＥＤ３１〜３７が点灯するので、パチンコ遊技場の店員は、遊技状態を一目で確認することができる。そして、実際の遊技状態とＬＥＤの点灯状態とが異なる場合、例えば、第１種特別電動役物用ＬＥＤ３７が点灯していないにもかかわらず大入賞口が開口している場合には、遊技制御装置１０，第１種特別電動役物２７等に何等かの異常があることになるので、詳しく検査すれば良い。この様に、遊技状態が適正であるか否かを容易に確認することができるので、より一層高セキュリティ化を実現することができる。
【００３３】
又、遊技制御装置１０は透明電波吸収シート７によって覆われているので、遊技者側から遊技制御装置１０を見ることはできるが、遊技制御装置１０に電磁波を照射することは困難である。従って、より一層高セキュリティ化を実現することができる。
【００３４】
又、遊技制御装置１０は、光通信部４０及び光コネクタ４１により、パチンコ遊技機１に設置された状態で外部と光通信を行って動作チェックを行うことができるので、遊技制御装置１０の検査を行う際、所謂前扉を開ける必要もないし、遊技制御装置１０をパチンコ遊技機１から取り外す必要もない。従って、検査を容易に行うことができ、検査に要する時間を非常に短くすることができる。又、ガラス扉１ｂを挟んで外部と光通信を行うことができるので、ガラス扉１ｂを開ける必要もない。従って、遊技中でも検査を行うことができる。
【００３５】
以上、本発明の一実施例について説明したが、本発明は上記実施例に何等限定されるものではなく、更に種々の態様において実施しても良いことはもちろんである。例えば、実施例では、遊技制御装置１０は遊技盤１ａの左下隅に組み付けられているが、左上隅，右下隅，右上隅等に組み付けられていても良い。又、遊技制御装置１０に装飾を施し、遊技盤１ａの遊技領域内に設置しても良い。
【００３６】
又、実施例では、第１種始動口への入賞状況，特別図柄表示装置２５及び第１種特別電動役物２７の作動状態をＬＥＤによって報知する様に構成されているが、全入賞口への入賞状況，全電動役物の作動状況をＬＥＤによって報知する様に構成されていても良い。
【００３７】
又、実施例では、電磁波遮蔽手段として酸化金属の薄膜を用いた透明電波吸収シート７を採用したが、ポリエステル繊維，アラミド繊維等の有機繊維にフェライト，パーマロイ等の磁性材料をコーティングしたネットを採用しても良い。この様なネットを採用した場合も、同様に、遊技者側から遊技制御装置を見ることができると共に、電磁波を遮蔽することができる。又、積層構造の透明電波吸収シート７の中間層に、メーカー名等をホログラム等の特殊な方法で記載すると良い。この様に構成されている場合には、透明電波吸収シート７の複製が困難であり、透明電波吸収シート７を破って遊技制御装置１０を取り外した場合には、容易に発見することができる。
【００３８】
又、実施例では、遊技制御装置１０はパチンコ遊技機に設置されていたが、パチンコ遊技機に限らず、コイン遊技機，スマートボール遊技機等の各種遊技機に適用することができる。
【符号の説明】
【００３９】
１…パチンコ遊技機    １ａ…遊技盤    １ｂ…ガラス扉    ３ａ…ＩＣソケット    ３ｂ…遊技島用ケーブルソケット    ３ｃ…遊技島用ケーブル    ３ｄ…遊技機用ケーブルソケット    ３ｅ…遊技機用ケーブル    ３ｆ…遊技盤用ケーブルソケット    ３ｇ…遊技盤用ケーブル    ５ａ…金属ケース    ５ａｗ…窓部    ５ｂ…カシメ    ７…透明電波吸収シート    １０…遊技制御装置１１…ＣＰＵ    １３…ＲＯＭ    １５…ＲＡＭ    １７…入出力インタフェース    １９…バス    ２１…第１種始動口＃１入賞センサ    ２３…第１種始動口＃２入賞センサ    ２５…特別図柄表示装置    ２７…第１種特別電動役物３０…ＬＥＤドライバ    ３１…第１種始動口＃１用ＬＥＤ    ３３…第１種始動口＃２用ＬＥＤ    ３５…特別図柄表示装置用ＬＥＤ    ３７…第１種特別電動役物用ＬＥＤ    ４０…光通信部    ４１…光コネクタ。
【図１】
2010167309.tif 000003
【図２】
2010167309.tif 000004
【図３】
2010167309.tif 000005
【図４】
2010167309.tif 000006
【手続補正書】
【提出日】平成22年5月25日(2010.5.25)
【手続補正１】
【補正対象書類名】特許請求の範囲
【補正対象項目名】全文
【補正方法】変更
【補正の内容】
【特許請求の範囲】
【請求項１】
パチンコ遊技場等に設置される各種遊技機に備えられ、遊技にかかる演算制御を行う遊技制御装置であって、
前記遊技制御装置による前記電動役物への作動の指令状況である遊技状態を識別する遊技状態識別手段と、
該遊技状態識別手段による識別結果を外部から視認可能に表示するための遊技状態表示手段と、
を備えることを特徴とする遊技制御装置。
【請求項２】
透明かつ電磁波を遮蔽可能な電磁波遮蔽手段によって覆われていることを特徴とする請求項１に記載の遊技制御装置。
【請求項３】
１チップのハイブリッド型ＩＣによって構成されていることを特徴とする請求項１又は２に記載の遊技制御装置。
【請求項４】
前記遊技機に備えられる遊技盤の所定位置に内蔵されていることを特徴とする請求項１〜３の何れかに記載の遊技制御装置。
【請求項５】
前記遊技機に設置された状態で外部と光通信を行うことができる光通信手段を備え、
該光通信手段を介して外部から動作チェック用データを受信すると、当該光通信手段を介して外部に応答用データを送信することを特徴とする請求項１〜４の何れかに記載の遊技制御装置。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
第１の発明にかかる遊技制御装置は、パチンコ遊技場等に設置される各種遊技機に備えられ、遊技にかかる演算制御を行う遊技制御装置であって、前記遊技制御装置による前記電動役物への作動の指令状況である遊技状態を識別する遊技状態識別手段と、該遊技状態識別手段による識別結果を外部から視認可能に表示するための遊技状態表示手段と、を備えることを特徴とする。
【手続補正５】
【補正対象書類名】明細書
【補正対象項目名】００１１
【補正方法】変更
【補正の内容】
【００１１】
第１の発明にかかる遊技制御装置では、遊技状態識別手段が、大入賞口が開口しているか否かを各種センサからの入力に基づいて識別し、遊技状態表示手段が、遊技状態識別手段による識別結果を、発光ダイオード（ＬＥＤ）等を点灯させることによって表示する。このため、パチンコ遊技場の店員は、遊技状態を一目で確認することができる。そして、実際の遊技状態と遊技状態表示手段による表示内容とが異なる場合、例えば、大入賞口の開口を表示するためのＬＥＤが点灯していないにもかかわらず大入賞口が開口している場合には、遊技制御装置，大入賞口を開口させるためのアクチュエータ等に何等かの異常があることになるので、詳しく検査すれば良い。この様に、遊技状態が適正であるか否かを容易に確認することができるので、高セキュリティ化を実現することができる。
【手続補正６】
【補正対象書類名】明細書
【補正対象項目名】００１２
【補正方法】変更
【補正の内容】
【００１２】
又、第２の発明にかかる遊技制御装置は、透明かつ電磁波を遮蔽可能な電磁波遮蔽手段によって覆われていることを特徴とする。ここで、電磁波遮蔽手段としては、例えば、酸化金属（酸化インジウム，酸化錫等）の薄膜等を挙げることができる。
【手続補正７】
【補正対象書類名】明細書
【補正対象項目名】００１３
【補正方法】変更
【補正の内容】
【００１３】
第２の発明にかかる遊技制御装置では、遊技制御装置に向けて電磁波を照射しても、電磁波遮蔽手段がこの電磁波を遮蔽するので、電磁波は遊技制御装置に到達することができない。このため、電磁波によって遊技制御装置を誤動作させる不正を防止することができる。尚、透明ではないが、磁性材料（フェライト，パーマロイ等）をコーティングした有機繊維（ポリエステル繊維，アラミド繊維等）によって形成されたネットを電磁波遮蔽手段として採用することもできる。この様なネットを採用した場合にも、遊技制御装置に電磁波が到達しない様にすることができる。
【手続補正８】
【補正対象書類名】明細書
【補正対象項目名】００１４
【補正方法】変更
【補正の内容】
【００１４】
又、第３の発明にかかる遊技制御装置は、１チップのハイブリッド型ＩＣによって構成されていることを特徴とする。
第３の発明にかかる遊技制御装置は、ＣＰＵ，ＲＯＭ，ＲＡＭ等の複数のＩＣチップがプリント基板に配置されて構成されているのではなく、ＣＰＵ，ＲＯＭ，ＲＡＭ等が統合された１つのハイブリッド型ＩＣによって構成されている。このため、遊技ＲＯＭを不正なものと交換するには、遊技制御装置全体を交換しなければならいので、不正に交換を行うことは非常に困難である。
【手続補正９】
【補正対象書類名】明細書
【補正対象項目名】００１５
【補正方法】変更
【補正の内容】
【００１５】
尚、この様に遊技制御装置が１チップのハイブリッド型ＩＣによって構成されている場合には、遊技機を構成する部品を少なくすることができるので、省資源化を実現することもできる。
又、前述した第２の目的を達成するため、第４の発明にかかる遊技制御装置は、前記遊技機に備えられる遊技盤の所定位置に内蔵されていることを特徴とする。ここで、内蔵とは、例えば遊技盤が合板によって構成されている場合には、この合板の一部に凹部や貫通孔（窓）を設け、凹部等に埋め込む様に設置することである。
【手続補正１０】
【補正対象書類名】明細書
【補正対象項目名】００１６
【補正方法】変更
【補正の内容】
【００１６】
第４の発明にかかる遊技制御装置は、遊技盤の所定位置に内蔵されているので、古くなった遊技盤と遊技制御装置とをまとめて取り外すことができると共に、新しい遊技盤及び遊技制御装置をまとめて取り付けることができるので、入れ替え作業を非常に容易に行うことができ、入れ替え作業に要する時間を大幅に短縮することができる。
【手続補正１１】
【補正対象書類名】明細書
【補正対象項目名】００１７
【補正方法】変更
【補正の内容】
【００１７】
又、前述した第３の目的を達成するため、第５の発明にかかる遊技制御装置は、前記遊技機に設置された状態で外部と光通信を行うことができる光通信手段を備え、該光通信手段を介して外部から動作チェック用データを受信すると、当該光通信手段を介して外部に応答用データを送信することを特徴とする。
【手続補正１２】
【補正対象書類名】明細書
【補正対象項目名】００１８
【補正方法】変更
【補正の内容】
【００１８】
第５の発明にかかる遊技制御装置は、遊技機から取り外すことなく検査を行うことができるので、検査を非常に容易に行うことができ、検査に要する時間を大幅に短縮することができる。
又、前述した第１乃至第５の発明を適宜組み合わせても良い。特に、第１乃至第５の発明を全て組み合わせた場合には、遊技制御装置を高セキュリティ化，入れ替え作業の簡略化，検査作業の簡略化を全て実現することができる。